(57)【要約】【課題】息や汗等の湿気を吸いとってマスク内部の濡れやべとつきを防止し、長時間の使用でも快適さを損なわないマスクを提供すること。【解決手段】顔面に装着して使用されるマスク１０であって、マスク本体４０と、該マスク本体４０を顔面の所望の箇所に固定する紐（固定手段）１２とを備え、マスク本体４０は、その顔面に触れる面に疎水性を有し、顔面と反対側の面に親水性を有することを特徴とする。具体的には、マスク本体４０は、疎水性のシート材１１ａと親水性を有する部分１１ｂとを貼り合わせることにより構成され、顔面側に、疎水性のシート材１１ａが配される。【選択図】図２
2006325688.tif 000002
【特許請求の範囲】
【請求項１】
顔面に装着して使用されるマスクであって、
マスク本体と、該マスク本体を顔面の所望の箇所に固定する固定手段とを備え、
前記マスク本体は、その少なくとも顔面に触れる面に疎水性を有する布帛を備えることを特徴とするマスク。
【請求項２】
前記布帛は、不織布で構成されている請求項１に記載のマスク。
【請求項３】
前記布帛は、主としてポリオレフィンで構成されている請求項１または２に記載のマスク。
【請求項４】
前記布帛は、その顔面と反対側の面に親水性を有する請求項１ないし３のいずれかに記載のマスク。
【請求項５】
前記布帛は、疎水性の布帛であり、
前記マスク本体は、前記疎水性の布帛と反対側に親水性の布帛を備える請求項１ないし３のいずれかに記載のマスク。
【請求項６】
前記親水性の布帛は、主として天然繊維で構成されている請求項５に記載のマスク。
【請求項７】
前記マスク本体の親水性を有する部分は、その公定水分率が３〜２０％である請求項４ないし６のいずれかに記載のマスク。
【請求項８】
前記マスク本体の疎水性を有する部分は、その透湿度が２００ｇ／ｍ２・ｈ以上である請求項１ないし７のいずれかに記載のマスク。
【請求項９】
前記マスク本体は、その平均厚さが０．１〜１０ｍｍである請求項１ないし８のいずれかに記載のマスク。
【請求項１０】
前記マスク本体は、その内部に空間が形成され、該空間に吸水性を有する担体が収納されている請求項１ないし９のいずれかに記載のマスク。
【請求項１１】
前記担体は、粒状をなしている請求項１０に記載のマスク。
【請求項１２】
前記担体は、多孔質体である請求項１０または１１に記載のマスク。
【請求項１３】
前記担体は、主としてリン酸カルシウム系化合物で構成されている請求項１０ないし１２のいずれかに記載のマスク。
【請求項１４】
前記担体は、主として吸水性ポリマーで構成されている請求項１０ないし１２のいずれかに記載のマスク。
【請求項１５】
当該マスクを顔面に装着した状態で、
さらに、前記顔面と前記マスク本体との間に配される当て布を備え、
該当て布は、その顔面に触れる面に疎水性を有するものである請求項１ないし１４のいずれかに記載のマスク。
【請求項１６】
顔面に装着して使用されるマスクであって、
マスク本体と、該マスク本体を顔面の所望の箇所に固定する固定手段と、当該マスクを顔面に装着した状態で前記顔面と前記マスク本体との間に配される当て布とを備え、
前記当て布は、その顔面に触れる面に疎水性を有することを特徴とするマスク。
【請求項１７】
前記当て布は、その顔面と反対側の面に親水性を有するものである請求項１５または１６に記載のマスク。
【発明の詳細な説明】
【技術分野】
【０００１】
本発明は、マスクに関するものである。
【背景技術】
【０００２】
従来、一般に市販されているガーゼマスクは、長方形にカットされたガーゼ（布帛）を複数枚重ね合わせたマスク本体と、このマスク本体の長さ方向の両端部にそれぞれ取り付けられた紐またはゴム紐（固定手段）と、により構成されている。このマスクの着用時には、一対の紐またはゴム紐を両耳に引っかけ、マスク本体で使用者の口や鼻を覆うようになっている（例えば、特許文献１参照）。
【０００３】
ガーゼマスクは吸水性がよく、そのため、付け心地がよいが、長時間つけたりすると、口や鼻から排気されるあたたかな湿った息などにより、内部が湿ってくる。これにより
マスクの顔に当接している面が濡れてべとつき、付け心地が悪くなる。
【０００４】
【特許文献１】特開２００４−３５７８７１号公報
【発明の開示】
【発明が解決しようとする課題】
【０００５】
本発明の目的は、息や汗等の湿気を吸いとってマスク内部の濡れやべとつきを防止し、長時間の使用でも快適さを損なわないマスクを提供することにある。
【課題を解決するための手段】
【０００６】
このような目的は、下記（１）〜（１７）の本発明により達成される。
（１）  顔面に装着して使用されるマスクであって、
マスク本体と、該マスク本体を顔面の所望の箇所に固定する固定手段とを備え、
前記マスク本体は、その少なくとも顔面に触れる面に疎水性を有する布帛を備えることを特徴とするマスク。
【０００７】
これにより、顔面側では体液が残ることによるべた付き感やムレ感を防止し、ドライ感を着用者に与えることができ、使用感が良好なマスクを提供することが可能となる。
【０００８】
（２）  前記布帛は、不織布で構成されている上記（１）に記載のマスク。
不織布は、製造時の設計自由度が比較的高く、開口率を大きくすることにより高い通気性のものを得ることができる。
【０００９】
（３）  前記布帛は、主としてポリオレフィンで構成されている上記（１）または（２）に記載のマスク。
【００１０】
ポリオレフィンを主とする繊維は、肌触りが良好なため、疎水性の布帛の素材として好適である。
【００１１】
（４）  前記布帛は、その顔面と反対側の面に親水性を有する上記（１）ないし（３）のいずれかに記載のマスク。
これにより、湿気が積極的に反対側に抜けてマスクの外部に放出される。
【００１２】
（５）  前記布帛は、疎水性の布帛であり、
前記マスク本体は、前記疎水性の布帛と反対側に親水性の布帛を備える上記（１）ないし（３）のいずれかに記載のマスク。
【００１３】
これにより、顔面側では、繊維が息や汗等の湿気を保留しないのでサラッとした感触を有し、しかも湿気が積極的に反対側に抜けてマスクの外部に放出される。
【００１４】
（６）  前記親水性の布帛は、主として天然繊維で構成されている上記（５）に記載のマスク。
【００１５】
これにより、親水性の布帛がマスク内の水分を十分に吸収する。そして、親水性の布帛は、その高い通気性のために、吸収した水分をその回りに拡散させる。
【００１６】
（７）  前記マスク本体の親水性を有する部分は、その公定水分率が３〜２０％である上記（４）ないし（６）のいずれかに記載のマスク。
【００１７】
これにより、マスク本体の親水性を有する部分は、十分な吸水性を有するとともに、マスク本体を構成するために必要な強度を有するものとなる。
【００１８】
（８）  前記マスク本体の疎水性を有する部分は、その透湿度が２００ｇ／ｍ２・ｈ以上である上記（１）ないし（７）のいずれかに記載のマスク。
【００１９】
これにより、マスクと顔面との間に生じた空間の湿度が高くなり、マスク着用者に不快感を与えるのを防止することができる。
【００２０】
（９）  前記マスク本体は、その平均厚さが０．１〜１０ｍｍである上記（１）ないし（８）のいずれかに記載のマスク。
【００２１】
これにより、マスク本体は、防塵等のマスク本来の機能を発揮するとともに、湿気を放出させる程度の通気性を得ることができる。
【００２２】
（１０）  前記マスク本体は、その内部に空間が形成され、該空間に吸水性を有する担体が収納されている上記（１）ないし（９）のいずれかに記載のマスク。
これにより、マスク本体は、顔面側からより効率よく湿気を回避させることができる。
【００２３】
（１１）  前記担体は、粒状をなしている上記（１０）に記載のマスク。
これにより、担体の表面積が増大し、担体の吸水（吸湿）性能の向上を図ることができる。
【００２４】
（１２）  前記担体は、多孔質体である上記（１０）または（１１）に記載のマスク。
これにより、担体の表面積が増大し、担体の吸水（吸湿）性能の向上を図ることができる。
【００２５】
（１３）  前記担体は、主としてリン酸カルシウム系化合物で構成されている上記（１０）ないし（１２）のいずれかに記載のマスク。
【００２６】
リン酸カルシウム系化合物は、吸湿性や、ウイルスや菌類の吸着性に優れることから、このような効果をマスクに付与することができる。
【００２７】
（１４）  前記担体は、主として吸水性ポリマーで構成されている上記（１０）ないし（１２）のいずれかに記載のマスク。
【００２８】
吸水性ポリマーは、吸水性能が特に高く、顔面側から特に効率よく湿気を回避させることができる。
【００２９】
（１５）  当該マスクを顔面に装着した状態で、
さらに、前記顔面と前記マスク本体との間に配される当て布を備え、
該当て布は、その顔面に触れる面に疎水性を有するものである上記（１）ないし（１４）のいずれかに記載のマスク。
【００３０】
これにより、当て布の顔面側では、繊維が息や汗等の湿気を保留しないのでサラッとした感触となる。これにより、顔面側では体液が残ることによるべた付き感やムレ感を防止し、ドライ感を着用者に与えることができ、使用感が良好なものとなる。また、当て布とすることで、汚損した場合には簡単に交換することができ、衛生的である。
【００３１】
（１６）  顔面に装着して使用されるマスクであって、
マスク本体と、該マスク本体を顔面の所望の箇所に固定する固定手段と、当該マスクを顔面に装着した状態で前記顔面と前記マスク本体との間に配される当て布とを備え、
前記当て布は、その顔面に触れる面に疎水性を有することを特徴とするマスク。
【００３２】
これにより、当て布の顔面側では、繊維が息や汗等の湿気を保留しないのでサラッとした感触となる。これにより、顔面側では体液が残ることによるべた付き感やムレ感を防止し、ドライ感を着用者に与えることができ、使用感が良好なものとなる。また、当て布とすることで、汚損した場合には簡単に交換することができ、衛生的である。
【００３３】
（１７）  前記当て布は、その顔面と反対側の面に親水性を有するものである上記（１５）または（１６）に記載のマスク。
【００３４】
これにより、当て布の顔面側の湿気が積極的に反対側に抜けるため、使用感がより良好なマスクとなる。
【発明の効果】
【００３５】
本発明によれば、息や汗による湿気を接触的に外部に放出または吸収させて、顔面側におけるべた付き感やムレ感を防止してドライ感を着用者に与えることができ、使用感が良好なマスクを提供することが可能となる。
【発明を実施するための最良の形態】
【００３６】
以下、本発明のマスクを添付図面に示す好適な実施形態に基づいて詳細に説明する。
＜第１実施形態＞
図１は、本発明のマスクの第１実施形態を示す平面図であり、図２は、図１に示すマスクの断面図である。
【００３７】
マスク１０は、図１に示すように、マスク本体４０と、このマスク本体４０を顔面の所望の箇所に固定する紐（固定手段）１２とを備えている。本発明のマスク１０は、マスク本体４０の少なくとも顔面に触れる面に疎水性を有する布帛を備えることを特徴とするものである。
【００３８】
以下、マスク１０の構成を順次説明する。
マスク本体４０は、マスク使用者の口と鼻を覆える程度の大きさを有するものである。
【００３９】
本実施形態では、マスク本体４０は、顔面側に疎水性を有し、顔面と反対側の面に親水性を有している。
【００４０】
具体的には、図２に示すように、マスク本体４０は、疎水性のシート材（布帛）１１と親水性のシート材（布帛）２１とを貼り合わせることにより構成されている。そして、顔面側に、疎水性のシート材１１を位置するようにして使用される。
【００４１】
このように疎水性のシート材１１を顔面側とし、反対側の面に親水性のシート材１１を配することで、顔面側では、シート材１１が息や汗等の湿気を保留しないのでサラッとした感触を有し、しかも湿気が積極的に反対側に抜けてマスクの外部に放出される。これにより、顔面側では体液が残ることによるべた付き感やムレ感を防止し、ドライ感を着用者に与えることができ、使用感が良好なものとなる。
【００４２】
疎水性のシート材１１としては、その透湿度が２００ｇ／ｍ２・ｈ以上であることが好ましく、２５０ｇ／ｍ２・ｈ以上であることがより好ましく、３５０ｇ／ｍ２・ｈ以上であることがさらに好ましい。これにより、マスク１０と顔面との間に生じた空間の湿度が高くなることによるマスク着用者の不快感を防止することができる。
【００４３】
シート材１１としては、織布、不織布、編布等が挙げられるが、不織布が好ましい。
【００４４】
不織布とは、繊維を織布工程を経ることなしに、不定方向に配列させ、絡ませたり、溶着・接着させて布状にした被服材料・包装材料等である。
【００４５】
また、不織布では繊維が絡んでいるため縦横の方向性がなく、裁ち目もほつれ難いので、種々の用途に向けられている。
【００４６】
このような不織布は、製造時の設計自由度が比較的高く、開口率を大きくすることにより高い通気性のものを得ることができる。したがって、息や汗等の湿気を速やかに透過させることができる。その結果、顔面側に体液が残ることによるべた付き感やムレ感を防止することができる。
【００４７】
不織布の製造方法は、従来用いられている不織布製造方法、例えばカード機を用いて得られたウエッブを熱処理するサクションヒートボンド法、機械的に交絡されるニードルパンチ法、水流交絡させるスパンレース法等や、スパンボンド法、メルトブローン法、ＳＭＳ法（スパンボンド不織布とメルトブローン不織布との貼り合わせ）等により製造することができる。これらの中で、生産性が良く、低コストであるスパンボンド法が好ましい。
【００４８】
不織布を構成する繊維の繊維径、繊維長等は、特に限定されるものではないが、繊維径は、好ましくは平均で０．２２〜１１０デシテックス、より好ましくは０．３３〜５０デシテックス、特に好ましくは０．５５〜３３デシテックスである。繊維長は不織布の製造法により異なるが、好ましくは３〜４０ｍｍである。
【００４９】
また、不織布の目付量（単位面積あたりの繊維の質量）は、特に限定されるものではないが、好ましくは５〜６０ｇ／ｍ２、より好ましくは１０〜５０ｇ／ｍ２である。目付量を前記範囲内に設定することにより、マスクとして必要な強度を維持しつつ、開口率を上げて透湿性を向上させることができる。
【００５０】
シート材１１を構成する繊維としては、疎水性を有し、不織布形成可能なものであれば特に限定されず、レイヨン、アセテートのような再生繊維、ポリエステル、ポリアミド、ビニロン、ポリアクリロニトリル、ポリオレフィン、スパンデックスのような合成繊維等が挙げられるが、好ましくは合成繊維またはその混合繊維である。また、より好ましくはポリオレフィン、ポリエステル、ポリアミド、さらに好ましくはポリオレフィンである。これらを主とする繊維は、肌触りが良好なため、シート材１１の素材として好適である。
【００５１】
ポリオレフィンとしては、例えばポリエチレン、ポリプロピレン、ポリブテン−１、ポリペンテン−１、およびこれらのランダムまたはブロック共重合体、あるいは、更にメタクリル酸、アクリル酸、マレイン酸、フマル酸、クロトン酸、イタコン酸等の不飽和カルボン酸、およびそれらのエステル、酸無水物等の誘導体から選択される少なくとも１種類以上を共重合したポリオレフィン系重合体を挙げることができる。更には上記ポリオレフィン系重合体に上記不飽和カルボン酸またはその誘導体の少なくとも１種をグラフトしたグラフト共重合体を挙げることができる。
【００５２】
なお、ポリエステルとしては、例えば、ポリエチレンテレフタレートやポリブチレンテレフタレート等が、ポリアミドとしては、例えば、ナイロン−６やナイロン−６６等が挙げられる。
【００５３】
また、疎水性のシート材１１としては、シート材に対して撥水処理を施したものでもよい。これにより、疎水性を有しない布帛も疎水性のシート材１１として使用可能になる。
【００５４】
撥水処理としては、例えば、親水性のシート材に撥水剤を付与する方法、疎水性のシート材に撥水剤を付与して疎水性（撥水性）をさらに高める方法等が挙げられる。
【００５５】
この撥水剤としては、一般に繊維撥水加工に用いられるシリコーン系撥水剤やフッ素系撥水剤、パラフィン金属系撥水剤、アルキルクロミッククロイド系撥水剤あるいはアクリル系撥水剤等が挙げられる。
【００５６】
使用する撥水剤の量は、特に限定されるものではないが、シート材１００重量部に対して、０．５〜１０質量部程度であるのが好ましく、０．５〜５重量部程度であるのがより好ましい。これにより、より良好な撥水性が得られる。また、撥水処理方法については、公知の方法を用いることができ、スプレーやコーティングにより行うことができる。
【００５７】
一方、親水性のシート材２１は、その公定水分率が３〜２０％程度であることが好ましく、５〜１５％程度であることがより好ましい。
【００５８】
ここで、公定水分率とは、温度２０℃、湿度６５％ＲＨの環境における繊維の水分含有率である。繊維の公定水分率が高いほど、その繊維の吸水性（吸湿性）が高いことを示す。
【００５９】
親水性のシート材２１の公定水分率が前記範囲内であることにより、シート材２１は、十分な吸水性を有するとともに、マスク本体４０を構成するために必要な強度を有するものとなる。
【００６０】
シート材２１を構成する繊維としては、羊毛、絹糸、リネンおよび綿糸のような天然繊維、ポリアクリル酸系ポリマー繊維のような吸水性ポリマー製繊維、中空糸のような吸水性を有する合成繊維等が挙げられ、これらのうちの１種または２種以上を組み合わせた混合繊維を用いることができる。これらの中でもシート材２１としては特に、天然繊維を主とするものが好ましい。天然繊維は、高い親水性を有することから、シート材２１に高い吸水性を付与することができる。
【００６１】
シート材２１としては、織布、不織布、編布等が挙げられるが、ガーゼのような織布が好ましい。
【００６２】
上記のような疎水性を有するシート材１１と親水性を有するシート材２１とを貼り合わせる方法としては、特に限定されるものではないが、例えば、ホットメルト接着剤による接着、超音波融着等が、シート材同士が強固に接着し得る点で好ましい。
【００６３】
上記ホットメルト接着剤としては、特に限定されず従来公知のものが使用可能である。このようなホットメルト接着剤としては、例えば、非晶性ポリオレフィンを主成分とする、エチレン−プロピレン共重合体系、プロピレン−１−ブテン共重合体系、エチレン−１−ブテン共重合体系、ホモポリプロピレン共重合体系や、ＥＶＡ（エチレン−酢酸ビニル共重合体）系、ＥＶＯＨ（エチレン−ビニルアルコール共重合体）系、ＥＥＡ（エチレン−エチルアクリレート共重合体）系のようなオレフィン共重合体系等のホットメルト接着剤が挙げられる。
【００６４】
さらに、上記ホットメルト接着剤は、必要に応じて他の熱可塑性樹脂、ワックスなどの低分子量成分が含有されているものであっても良い。
【００６５】
接着方法としては、例えば、不織布にホットメルトガンやホットメルトアプリケータなどを用いて加熱したホットメルト接着剤を塗布し、その塗布面をマスク本体の必要な部分の表面に接するように貼り付ける方法等が好適である。
【００６６】
また、上記超音波融着の方法は特に限定されるものではないが、通常は、１０ｋＨｚ以上の振動を融着部分に印加するのである。
【００６７】
なお、疎水性を有するシート材１１と親水性を有するシート材２１とは、貼り合わせる方法に代えて、例えば縫い合わせる方法を用いてもよい。
【００６８】
このようなマスク本体４０は、その平均厚さが０．１〜１０ｍｍ程度であるのが好ましく、０．５〜５ｍｍ程度であるのがより好ましい。マスク本体４０の平均厚さが前記範囲内であることにより、マスク本体４０は、防塵等のマスク本来の機能を発揮するとともに、湿気を放出させる程度の通気性を得ることができる。
【００６９】
また、マスクに特定の付加価値を与える付加価値部材を、このマスク本体４０に設けてもよい。この付加価値部材としては、例えば呼吸中の空気をろ過するろ過部材、ハーブ等の心地よい香りを放つ芳香部材等が挙げられる。なお、付加価値部材によりマスクに与えられる付加価値は、特に限定されない。
【００７０】
紐（固定手段）１２は、マスク本体４０の左右方向の両端部にそれぞれ取り付けられている。
【００７１】
紐１２は、環状をなしており、この環状の紐１２を耳にかけることにより、マスク本体４０を顔面の所望の箇所に固定するものである。
【００７２】
なお、固定手段は、図１に示す紐１２に代えて、例えば、耳に引っかける環状のゴム紐、頭にしばりつけられる紐、耳の上部にかける眼鏡のツル状のもの等で構成することができる。
【００７３】
以上のようなマスク１０では、顔面側が疎水性を有し、反対側の面が親水性を有しているため、顔面側では、繊維が息や汗等の湿気を保留しないのでサラッとした感触を有し、しかも湿気が積極的に反対側に抜けてマスクの外部に放出される。これにより、顔面側では体液が残ることによるべた付き感やムレ感を防止し、ドライ感を着用者に与えることができ、使用感が良好なものとなる。
【００７４】
＜第２実施形態＞
図３は、本発明のマスクの第２実施形態を示す断面図である。
【００７５】
以下、第２実施形態について説明するが、前記第１実施形態との相違点を中心に説明し、同様の事項については、その説明を省略する。
【００７６】
第２実施形態では、前記第１実施形態の疎水性のシート材に代えて、顔面側に疎水性を有し、顔面と反対側に親水性を有する部分１１ｂを備えたシート材１１ａを用いたこと以外は、前記第１実施形態と同様である。
【００７７】
すなわち、シート材１１ａは、疎水性のシート材の顔面と反対側の面に親水性を付与する処理を施して、親水性を有する部分１１ｂを形成してなるものである。そして、図３に示すように、親水性を有する部分１１ｂと親水性を有するシート材２１とを接触させるように貼り合わせることにより、マスク本体４０を得ることができる。
【００７８】
親水性を付与する処理としては、例えば、親水性処理剤を付与する方法、プラズマに曝す方法、レーザーを照射する方法等がある。このような処理を行うことにより、疎水性のシート材の一方の面に親水性を付与することができる。
【００７９】
このうち、親水性処理剤としては、特に限定しないが、例えば分子内に親水部分と疎水部分を持っている界面活性剤でも良いし、親水性ポリマーの如きものでもよい。また、処理剤は１種類だけでなく、界面活性剤と親水性ポリマーを併用してもよいし、親水性の強い処理剤と親水性の弱い処理剤の配合系でも良い。
【００８０】
界面活性剤としては、従来公知のノニオン性界面活性剤、アニオン性界面活性剤、カチオン性界面活性剤、両性界面活性剤（シリコン系およびフッ素系界面活性剤を除く）等が挙げられる。
【００８１】
ノニオン性界面活性剤としては、具体的には例えば脂肪族系アルコール（炭素数８〜２４）アルキレンオキサイド（炭素数２〜８）付加物（重合度＝１〜１００）［ラウリルアルコールエチレンオキサイド付加（重合度＝２０）物等］、ポリオキシアルキレン（炭素数２〜８、重合度＝１〜１００）高級脂肪酸（炭素数８〜２４）エステル［モノステアリン酸ポリエチレングリコール（重合度＝２０）等］、多価（２価〜１０価またはそれ以上）アルコール脂肪酸（炭素数８〜２４）エステル［ソルビタンパルミチン酸（モノ／ジ）エステル等］、ポリオキシアルキレン（炭素数２〜８、重合度＝１〜１００）多価（２価〜１０価またはそれ以上）アルコール高級脂肪酸（炭素数８〜２４）エステル［ポリオキシエチレン（重合度＝１０）ソルビタンラウリン酸（モノ／ジ）エステル等］、脂肪酸アルカノールアミド［１：１型ヤシ油脂肪酸ジエタノールアミド等］、ポリオキシアルキレン（炭素数２〜８、重合度＝１〜１００）アルキル（炭素数１〜２２）フェニルエーテル（ポリオキシエチレン（重合度＝２０）ノニルフェニルエーテル等）、ポリオキシアルキレン（炭素数２〜８、重合度＝１〜１００）アルキル（炭素数８〜２４）アミノエーテルおよびアルキル（炭素数８〜２４）ジアルキル（炭素数１〜６）アミンオキシド［ラウリルジメチルアミンオキシド等］、ポリジメチルシロキサンポリオキシエチレン付加物、ポリオキエチレン・ポリオキシプロピレンブロックポリマー（重量平均分子量＝１５０〜１００００）等が挙げられる。
【００８２】
アニオン性界面活性剤としては、炭素数８〜２４の炭化水素系エーテルカルボン酸またはその塩、［ポリオキシエチレン（重合度＝１〜１００）ラウリルエーテル酢酸ナトリウム等］、炭素数８〜２４の炭化水素系硫酸エステル塩［ラウリル硫酸ナトリウム等］、炭素数８〜２４の炭化水素系スルホン酸塩［ドデシルベンゼンスルホン酸ナトリウム等］および炭素数８〜２４の炭化水素系リン酸エステル塩［ポリオキシエチレン（重合度＝１〜１００）ラウリルエーテルリン酸ナトリウム等］、脂肪酸塩［ラウリン酸ナトリウム、ラウリン酸トリエタノールアミン等］、アシル化アミノ酸塩［ヤシ油脂肪酸メチルタウリンナトリウム等］、その他［スルホコハク酸ポリオキシエチレン（重合度＝１〜１００）ラウロイルエタノールアミド２ナトリウム等］等が挙げられる。
【００８３】
カチオン性界面活性剤としては、第４級アンモニウム塩型［塩化ステアリルトリメチルアンモニウム、塩化ジステアリルジメチルアンモニウム、エチル硫酸ラノリン脂肪酸アミノプロピルエチルジメチルアンモニウム等］、アミン塩型［ステアリン酸ジエチルアミノエチルアミド乳酸塩、ジラウリルアミン塩酸塩等］等が挙げられる。
【００８４】
両性界面活性剤としては、ベタイン型両性界面活性剤［ヤシ油脂肪酸アミドプロピルジメチルアミノ酢酸ベタイン、ラウリルジメチルアミノ酢酸ベタイン、２−アルキル−Ｎ−カルボキシメチル−Ｎ−ヒドロキシエチルイミダゾリニウムベタイン、ラウリルヒドロキシスルホベタイン、ラウロイルアミドエチルヒドロキシエチルカルボキシメチルベタインヒドロキシプロピルリン酸ナトリウム等］、アミノ酸型両性界面活性剤［β−ラウリルアミノプロピオン酸ナトリウム等］が挙げられる。
【００８５】
親水性ポリマーとしては、ポリビニルアルコール、デンプンおよびその誘導体、カルボキシメチルセルロース、メチルセルロース、ヒドロキシエチルセルロースなどのセルロース誘導体、ポリアクリル酸ソーダなどのカルボキシル基含有（共）重合体、並びに特開平０７−１３３４２３号公報および特開平０８−１２００４１号公報に記載のウレタン結合若しくはエステル結合を有する親水性ポリマー等［例えば、ポリカプロラクトンポリオールとポリエーテルジオールをポリイソシアネートで連結させたもの等］が使用できる。親水性ポリマーは分子内に上記の界面活性剤に記載したアニオン性基、カチオン性基、両性基および／またはポリオキシエチレン基を主体とする水溶性基を分子内に好ましくは１〜１００個、より好ましくは２〜５０個を含有することによってポリマーを水溶性または分散性（乳化または懸濁）ポリマーとすることができる。これらの親水性ポリマーの数平均分子量は好ましくは２，０００〜１，０００，０００、より好ましくは５，０００〜１００，０００である。これらの親水性ポリマーは公知の方法によって製造することができるものである。
【００８６】
上述したような親水性処理剤を使用する場合の付与量は、不織布を構成する繊維の種類によって異なるが、シート材１００重量部に対して好ましくは０．０１〜５．０重量部であり、より好ましくは０．１〜２．０重量部である。不織布は人体や動物の皮膚に直接接触することもあることから必要最小限に設定することが望ましい。必要に応じて、例えば、表面のみに処理したり、不織布中央部等の液透過の必要部にのみ付与することも有用である。
【００８７】
親水性処理剤の付与方法としては、通常希釈した処理溶液を用いて、浸漬法、噴霧法、コーティング（ロールコーター、グラビアコーター、ダイ等）法等既知の方法が採用でき、均一に付与後、熱風、熱ロールなどの乾燥手段を用いて乾燥する。乾燥温度は不織布の材質の分解温度、融点以下でなければならないが、好ましくは１０〜１３０℃である。乾燥時間も短時間の方が好ましいが、より好ましくは１分〜５時間である。
【００８８】
なお、シート材１１ａは、親水性を有するシート材の一方の面に疎水性を付与する処理を施してなるものでもよい。この場合、疎水性を付与する処理としては、前述の撥水処理等を用いることができる。
また、シート材２１は、省略してもよい。
【００８９】
＜第３実施形態＞
図４は、本発明のマスクの第３実施形態を示す断面図である。
【００９０】
以下、第３実施形態について説明するが、前記第１および前記第２実施形態との相違点を中心に説明し、同様の事項については、その説明を省略する。
【００９１】
本実施形態のマスク１０は、図４に示すように、マスク１０を顔面に装着した状態で、顔面とマスク本体４０’との間に、当て布３１が配されている以外は、前記第１実施形態と同様である。
マスク本体４０’は、親水性のシート材で構成されている。
【００９２】
また、当て布３１は、疎水性のシート材で構成されている。
そして、顔面とマスク本体４０’との間に当て布３１が配されることにより、当て布３１の顔面側では、繊維が息や汗等の湿気を保留しないのでサラッとした感触を有し、しかも湿気が積極的に反対側に抜けて、親水性を有するマスク本体４０’に吸収される。これにより、顔面側では体液が残ることによるべた付き感やムレ感を防止し、ドライ感を着用者に与えることができ、使用感が良好なものとなる。また、当て布とすることで、汚損した場合には簡単に交換することができ、衛生的である。
【００９３】
この親水性のシート材には、前述の親水性のシート材を用いることができるが、本実施形態では、ガーゼが用いられている。
【００９４】
また、マスク本体４０’は、その公定水分率が３〜２０％程度であることが好ましく、５〜１５％程度であることがより好ましい。これによりマスク本体４０’は、十分な吸水性を有する。
【００９５】
一方、疎水性のシート材には、前述の各種疎水性のシート材を用いることができるが、本実施形態では、不織布が用いられている。
【００９６】
不織布としては、前述の不織布を用いることができる。また、不織布に代えて、疎水性を有しないシート材に撥水処理のような疎水性を付与する処理を施してなる疎水性のシート材等を用いることもできる。
【００９７】
当て布３１は、その透湿度が２００ｇ／ｍ２・ｈ以上であることが好ましく、２５０ｇ／ｍ２・ｈ以上であることがより好ましく、３５０ｇ／ｍ２・ｈ以上であることがさらに好ましい。これにより、当て布３１と顔面との間に生じた空間の湿度が高くなることによるマスク着用者の不快感を防止することができる。
【００９８】
このような当て布３１は、その平均厚さが０．１〜５ｍｍ程度であるのが好ましく、０．５〜３ｍｍ程度であるのがより好ましい。マスク本体４０’の平均厚さが前記範囲内であることにより、マスク本体４０’は、防塵等のマスク本来の機能を発揮するとともに、湿気を放出させる程度の通気性を得ることができる。
【００９９】
また、当て布３１は、適当な肉厚のものとなるよう複数層に重ね合せられたり、折り重ねたりしてもよい。
【０１００】
＜第４実施形態＞
図５は、本発明のマスクの第４実施形態を示す断面図である。
【０１０１】
以下、第４実施形態について説明するが、前記第１〜第３実施形態との相違点を中心に説明し、同様の事項については、その説明を省略する。
【０１０２】
第４実施形態では、前記第３実施形態の当て布３１に代えて、顔面側に疎水性を有し、顔面と反対側に親水性を有する部分３１ｂを備えた当て布３１ａを用いたこと以外は、前記第３実施形態と同様である。
【０１０３】
すなわち、当て布３１ａは、疎水性の当て布の顔面と反対側の面に親水性を付与する処理を施して、親水性を有する部分３１ｂを形成してなるものである。そして、図５に示すように、親水性を有する部分３１ｂと親水性を有するマスク本体４０’とを接触させるように重ねることにより、マスク１０を得ることができる。
【０１０４】
当て布３１ａにおいて顔面側を疎水性とし、反対側の面を親水性とすることで、当て布３１ａの顔面側では、繊維が息や汗等の湿気を保留しないのでサラッとした感触を有し、しかも湿気が積極的に反対側に抜けて、ガーゼからなるマスク本体４０’に吸収される。これにより、顔面側では体液が残ることによるべた付き感やムレ感を防止し、ドライ感を着用者に与えることができ、使用感が良好なものとなる。また、当て布とすることで、汚損した場合には簡単に交換することができ、衛生的である。
【０１０５】
ここで、親水性を付与する処理としては、前述の各種親水性を付与する処理を用いることができる。
【０１０６】
また、当て布３１ａは、親水性を有するシート材の一方の面に疎水性を付与する処理を
を施してなるものでもよい。この場合、疎水性を付与する処理としては、前述の撥水処理等を用いることができる。
【０１０７】
なお、マスク本体４０’に代えて、第１および第２実施形態のマスク本体４０を用いてもよい。これにより、マスク使用者のドライ感が向上する。
【０１０８】
＜第５実施形態＞
図６は、本発明のマスクの第５実施形態を示す断面図および平面図である。
【０１０９】
以下、第５実施形態について説明するが、前記第１〜第４実施形態との相違点を中心に説明し、同様の事項については、その説明を省略する。
【０１１０】
本実施形態のマスク１０は、図６（ａ）、（ｂ）に示すように、前記第１実施形態のマスク本体４０の内部に形成された空間に、吸水性を有する担体１３が収納されている以外は、前記第１実施形態と同様である。これにより、顔面側からより効率よく湿気を回避させることができる。その結果、マスク１０の着用者はより一層のドライ感を得ることができる。
【０１１１】
担体１３は、多孔質および緻密質のいずれであってもよいが、多孔質であるのが好ましい。これにより、担体１３の表面積が増大し、その吸水（吸湿）性能の向上を図ることができる。
【０１１２】
また、担体１３は、粒状、塊状（ペレット状）およびブロック状のいずれの形態でもよいが、粒状であるのが好ましい。これにより、担体１３の表面積が増大し、その吸水（吸湿）性能の向上を図ることができる。
【０１１３】
さらに、担体１３は、粒状、かつ、多孔質であるのが特に好ましい。このような担体１３では、前記効果がより増大する。
【０１１４】
担体１３としては、例えば、ハイドロキシアパタイトのようなリン酸カルシウム系化合物、ゼオライト、シリカゲルのようなシリコン系化合物等が挙げられるが、この中でも特にリン酸カルシウム系化合物を主として構成されるものが好ましい。リン酸カルシウム系化合物は、吸湿性や、ウイルスや菌類の吸着性に優れることから、このような効果をマスクに付与することができる。
【０１１５】
また、担体１３としては、主として吸水性ポリマーで構成されていてもよい。吸水性ポリマーは、吸水性能が特に高く、顔面側から特に効率よく湿気を回避させることができる。このような吸水性ポリマーとしては、例えば、デンプン系、セルロース系および合成ポリマーの各種吸水性ポリマーが挙げられ、特にデンプン−アクリル酸（塩）グラフト共重合体、デンプン−アクリロニトリル共重合体のケン化物、ナトリウムカルボキシメチルセルロースの架橋物およびアクリル酸（塩）重合体が好ましく用いられる。
【０１１６】
以上、本発明のマスクを、図示の実施形態に基づいて説明したが、本発明はこれらに限定されるものではなく、各構成は、同様の機能を発揮し得る任意のものと置換することができ、あるいは、任意の構成のものを付加することもできる。
【０１１７】
例えば、上述した各実施形態では、マスク本体または当て布の全体が、疎水性と親水性を有するシート材、または疎水性を有するシート材から構成される場合を例に挙げて説明したが、本発明はこれに限定されるものではなく、少なくとも口および鼻に当たる部分が疎水性を有するように構成されていればよい。
【実施例】
【０１１８】
以下、本発明の具体的実施例について説明する。
１．マスクの作製
（実施例１）
ポリプロピレン繊維で構成された不織布（疎水性の布帛）と綿糸で構成されたガーゼ（親水性の布帛）とを、ＥＶＡを主成分とするホットメルト接着剤で貼り付けることにより、図１および図２に示すような長方形のマスク本体を得た。
【０１１９】
次いで、マスク本体の左右方向の両端部に、紐（固定手段）を取り付け、マスクを得た。
【０１２０】
（実施例２）
疎水性の不織布とガーゼとの間に、図６に示すように、担体としてハイドロキシアパタイト（リン酸カルシウム系化合物）粉末を配したこと以外は、前記実施例１と同様にしてマスクを得た。
【０１２１】
（実施例３）
疎水性の不織布の顔面と反対側の面に、ポリビニルアルコールを付与する処理を施したこと以外は、前記実施例１と同様にして、図３に示すようなマスクを得た。
【０１２２】
（実施例４）
ポリプロピレン繊維で構成された不織布により、疎水性の当て布を得た。
【０１２３】
次いで、ガーゼで構成されたマスク本体の左右方向の両端部に、紐を取り付けるとともに、当て布のガーゼがマスク本体に接触するように重ねて、図４に示すようなマスクを得た。
【０１２４】
（実施例５）
当て布の顔面と反対側の面に、ポリビニルアルコールを付与する処理を施したこと以外は、前記実施例４と同様にして、図５に示すようなマスクを得た。
【０１２５】
（実施例６）
前記実施例１のマスク本体と、前記実施例５の当て布とを用意した。
【０１２６】
次いで、マスク本体の不織布と、当て布のポリビニルアルコールを付与する処理を施した面とが接触するようにして、マスク本体と当て布を重ねた。
そして、マスク本体の左右方向の両端部に紐（固定手段）を取り付け、マスクを得た。
【０１２７】
（比較例）
綿糸で構成されたガーゼでマスク本体を構成したこと以外は、前記実施例１と同様にしてマスクを得た。
【０１２８】
２．評価
被験者３５０人を５０人ずつの７組に分けた。そして、各組の被験者に対して各実施例および比較例の合計７種類のマスクを、３時間で１種類ずつ順番に装着させて、その使い心地を評価してもらった。
【０１２９】
なお、各組で装着するマスクは、７種類のマスクの装着順序がランダムとなるようにした。
【０１３０】
また、使い心地の評価は、各マスクに対して、装着直後、１時間経過後、２時間経過後、３時間経過後の４回行った。
なお、使い心地の評価基準は、以下の通りである。
【０１３１】
○：良好
×：不快
以上、結果を表１に示す。
【０１３２】
【表１】
2006325688.tif 000003
【０１３３】
表１から明らかなように、各実施例のマスクでは、いずれも、３時間経過しても被験者３００人中の８割以上が「使い心地が良好」と評価した。また、装着直後と３時間経過後との評価はほとんど変わらず、良好な使い心地が長時間維持されることが示された。
【０１３４】
これに対し、比較例のマスクでは、装着直後は被験者の９割以上が「良好」と評価したが、その割合は、１時間後には６割、３時間後には２割へと減少していた。この不快の原因は、呼吸によりマスクが湿って、濡れたマスクに触れることへの不快感であった。
【図面の簡単な説明】
【０１３５】
【図１】本発明のマスクの第１実施形態を示す平面図である。
【図２】図１に示すマスクの断面図である。
【図３】本発明のマスクの第２実施形態を示す断面図である。
【図４】本発明のマスクの第３実施形態を示す断面図である。
【図５】本発明のマスクの第４実施形態を示す断面図である。
【図６】本発明のマスクの第５実施形態を示す断面図および平面図である。
【符号の説明】
【０１３６】
１０                  マスク
１１、１１ａ、２１    シート材
１２                  紐
１３                  担体
３１、３１ａ          当て布
１１ｂ、３１ｂ        親水性を有する部分
４０、４０’          マスク本体
【図１】
2006325688.tif 000004
【図２】
2006325688.tif 000005
【図３】
2006325688.tif 000006
【図４】
2006325688.tif 000007
【図５】
2006325688.tif 000008
【図６】
2006325688.tif 000009